(57)【要約】  移動デバイスにおいて、総受信電力は、全てのアクセスポイントから受信した信号を表わす。１つのアクセスポイントと通信するための適切な送信電力を計算するために、移動デバイスは、セクタごとの受信電力レベルを決定する。移動デバイスは、各アクセスポイントパイロット信号から、時間領域のチャネル応答を突き止め、各アクセスポイントパイロット信号から、セクタごとの受信ディジタル電力レベルを突き止め、ディジタル電力レベルに部分的に基づいて、各アクセスポイントからの受信電力レベルを計算することができる。セクタごとの受信電力レベルを利用して、バッテリ電力を節約し、及び／又は無線通信ネットワークにおける干渉を低減することができる。【選択図】    図３
2010523059.tif 000002
【特許請求の範囲】
【請求項１】
セクタごとの受信電力レベル決定する方法であって、
各アクセスポイントから、アクセスポイントパイロット信号を受信することと、
各アクセスポイントパイロット信号から、時間領域のチャネル応答を決定することと、
各アクセスポイントパイロット信号から、セクタごとの受信ディジタル電力レベルを決定することと、
少なくとも前記ディジタル電力レベルに基づいて、各アクセスポイントからの受信電力レベルを決定することと
を具備し、前記アクセスポイントはセクタを表す、方法。
【請求項２】
各アクセスポイントからの前記受信電力レベルは、セクタごとの前記ディジタル電力レベルと、アナログフロントエンドの受信機利得と、ディジタルフロントエンドの受信機利得と、アナログディジタル変換器（ＡＤＣ）の出力における総受信電力とから計算される、請求項１の方法。
【請求項３】
Ｐｋ，ｓが、セクタのインデックスs及びアンテナのインデックスｋごとのディジタル電力であり、Ｅｋが、前記ＡＤＣの前記出力における前記総受信電力である場合に、
【数１】
2010523059.tif 000014
として、セクタごとの、前記ＡＤＣの前記出力における推定エネルギを計算すること
をさらに具備する、請求項２の方法。
【請求項４】
前記推定エネルギをフルスケールのＡＤＣ電力に正規化することと、
アナログ利得を減算することと
を備える、セクタごとの、前記ＡＤＣの前記出力における前記推定エネルギを、ｄＢｍの電力レベルにマップすること
をさらに具備する、請求項２の方法。
【請求項５】
前記決定された受信電力レベルを利用して、逆方向リンクサービングセクタの送信電力を設定し、ハンドオフを決定する、請求項１の方法。
【請求項６】
時間領域のチャネル応答を決定することが、
セクタ別の受信信号電力のセクタごとのチャネルタップ推定を取得すること
を備える、請求項１の方法。
【請求項７】
無線通信装置であって、
各アクセスポイントから、アクセスポイントパイロット信号を受信することと、各アクセスポイントパイロット信号から、時間領域のチャネル応答を決定することと、各アクセスポイントパイロット信号から、セクタごとの受信ディジタル電力レベルを確立することと、少なくとも前記ディジタル電力レベルに基づいて、各アクセスポイントからの受信電力レベルを計算することとに関する命令を保持し、アクセスポイントはセクタを表わす、メモリと、
前記メモリに結合され、前記メモリに保持されている前記命令を実行するように構成されているプロセッサと
を具備する、無線通信装置。
【請求項８】
各アクセスポイントからの前記受信電力レベルは、セクタごとの前記ディジタル電力レベルと、アナログフロントエンドの受信機利得と、ディジタルフロントエンドの受信機利得と、アナログディジタル変換器（ＡＤＣ）の出力における総受信電力とから計算される、請求項７の無線通信装置。
【請求項９】
前記メモリはさらに、
Ｐｋ，ｓが、セクタのインデックスs及びアンテナのインデックスｋごとのディジタル電力であり、Ｅｋが、前記ＡＤＣの前記出力における前記総受信電力である場合に、
【数２】
2010523059.tif 000015
として、セクタごとの、前記ＡＤＣの前記出力における推定エネルギを計算することに関する命令を保持する、請求項８の無線通信装置。
【請求項１０】
前記メモリはさらに、前記推定エネルギをフルスケールのＡＤＣ電力に正規化して、アナログ利得を減算することによって、セクタごとの、前記ＡＤＣの前記出力における前記推定エネルギを、ｄＢｍの電力レベルにマップすることに関する命令を保持する、請求項８の無線通信装置。
【請求項１１】
前記決定された受信電力レベルを利用して、逆方向リンクサービングセクタの送信電力を設定し、ハンドオフを決定する、請求項７の無線通信装置。
【請求項１２】
前記メモリはさらに、セクタ別の受信信号電力のセクタごとのチャネルタップ推定を取得することに関する命令を保持する、請求項７の無線通信装置。
【請求項１３】
無線通信システムにおいて動作可能な無線通信装置であって、
複数のアクセスポイントパイロット信号を受信する手段と、
前記複数のアクセスポイントパイロット信号のうちの各アクセスポイントパイロット信号から、時間領域のチャネル応答を決定する手段と、
各アクセスポイントパイロット信号から、セクタごとの受信ディジタル電力レベルを決定する手段と、
少なくとも前記ディジタル電力レベルに基づいて、各アクセスポイントからの受信電力レベルを決定する手段と
を具備する、無線通信装置。
【請求項１４】
各アクセスポイントからの前記受信電力レベルは、セクタごとの前記ディジタル電力レベルと、アナログフロントエンドの受信機利得と、ディジタルフロントエンドの受信機利得と、アナログディジタル変換器（ＡＤＣ）の出力における総受信電力とから計算される、請求項１３の無線通信装置。
【請求項１５】
Ｐｋ，ｓが、セクタのインデックスs及びアンテナのインデックスｋごとのディジタル電力であり、Ｅｋが、前記ＡＤＣの前記出力における前記総受信電力である場合に、
【数３】
2010523059.tif 000016
によって与えられる、セクタのインデックスs及びアンテナのインデックスｋに対する、セクタごとの、前記ＡＤＣの前記出力における推定エネルギを計算する手段
をさらに具備する、請求項１４の無線通信装置。
【請求項１６】
前記推定エネルギをフルスケールのＡＤＣ電力に正規化する手段と、
アナログ利得を減算する手段と
を備える、セクタごとの、前記ＡＤＣの前記出力における前記推定エネルギを、ｄＢｍの電力レベルにマップする手段
をさらに具備する、請求項１４の無線通信装置。
【請求項１７】
前記決定された受信電力レベルを利用して、逆方向リンクサービングセクタの送信電力を設定し、ハンドオフを決定する、請求項１３の無線通信装置。
【請求項１８】
前記時間領域のチャネル応答を決定する手段は、
セクタ別の受信信号電力のセクタごとのチャネルタップ推定を取得する手段
を備える、請求項１３の無線通信装置。
【請求項１９】
前記複数のアクセスポイントパイロット信号の各々は、セクタを表わす異なるアクセスポイントから受信される、請求項１３の無線通信装置。
【請求項２０】
セクタごとの受信電力レベルを決定する機械実行可能命令を記憶させた機械読み出し可能媒体であって、
前記命令は、
各アクセスポイントパイロット信号が１つのアクセスポイントからのものである、複数のアクセスポイントパイロット信号を受信することと、
前記複数のアクセスポイントパイロット信号のうちの各アクセスポイントパイロット信号から、時間領域のチャネル応答を決定することと、
各アクセスポイントパイロット信号から、セクタごとの受信ディジタル電力レベルを確立することと、
少なくとも前記ディジタル電力レベルに基づいて、各アクセスポイントからの受信電力レベルを計算することと
を備え、各アクセスポイントからの前記受信電力レベルは、セクタごとの前記ディジタル電力レベルと、アナログフロントエンドの受信機利得と、ディジタルフロントエンドの受信機利得と、アナログディジタル変換器（ＡＤＣ）の出力における総受信電力とから計算される、機械読み出し可能媒体。
【請求項２１】
前記命令はさらに、
Ｐｋ，ｓが、セクタのインデックスs及びアンテナのインデックスｋごとのディジタル電力であり、Ｅｋが、前記ＡＤＣの前記出力における前記総受信電力である場合に、
【数４】
2010523059.tif 000017
として、セクタごとの、前記ＡＤＣの前記出力における推定エネルギを計算することを備える、請求項２０の機械読み出し可能媒体。
【請求項２２】
前記命令はさらに、
前記推定エネルギをフルスケールのＡＤＣ電力に正規化して、アナログ利得を減算することによって、セクタごとの、前記ＡＤＣの前記出力における前記推定エネルギを、ｄＢｍの電力レベルにマップすること、
を備える、請求項２１の機械読み出し可能媒体。
【請求項２３】
無線通信システム中の装置であって、
各パイロット信号が異なるアクセスポイントからのものである、複数のアクセスポイントパイロット信号を受信し、
各アクセスポイントパイロット信号から、時間領域のチャネル応答を突き止め、
各アクセスポイントパイロット信号から、セクタごとの受信ディジタル電力レベルを決定し、
少なくとも前記ディジタル電力レベルに基づいて、各アクセスポイントからの受信電力レベルを計算する
ように構成されたプロセッサ
を具備する、装置。
【請求項２４】
前記プロセッサはさらに、
Ｐｋ，ｓが、セクタのインデックスs及びアンテナのインデックスｋごとのディジタル電力であり、Ｅｋが、アナログディジタル変換器の出力における総受信電力である場合に、
【数５】
2010523059.tif 000018
として、セクタごとの、前記ＡＤＣの前記出力における推定エネルギを計算するように構成されている、請求項２３の無線通信システム。
【請求項２５】
前記プロセッサはさらに、セクタごとの前記ディジタル電力レベルと、アナログフロントエンドの受信機利得と、ディジタルフロントエンドの受信機利得と、アナログディジタル変換器の出力における総受信電力とに対して、各アクセスポイントからの前記電力レベルを計算するように構成されている、請求項２３の無線通信システム。
【発明の詳細な説明】
【技術分野】
【０００１】
相互参照
本願は、「ＭＥＴＨＯＤ ＡＮＤ ＡＰＰＡＲＡＴＵＳ ＦＯＲ ＤＥＴＥＲＭＩＮＩＮＧ ＰＥＲ ＳＥＣＴＯＲ ＲＥＣＥＩＶＥＤ ＰＯＷＥＲ ＬＥＶＥＬ ＡＴ ＡＮ ＡＣＣＥＳＳ ＴＥＲＭＩＮＡＬ」と題する２００７年３月２６日に出願され、この譲受人に譲渡された、米国仮出願第６０／８９６，９７２号の利益を主張しており、参照によってその全体がここに組込まれている。
【０００２】
以下の記述は、概ね、無線通信システム、より具体的には、セクタごとに受信電力レベルを決定することに関する。
【背景技術】
【０００３】
無線通信システムは、音声、データなどのような様々なタイプの通信コンテンツを提供するために、広く展開されている。これらのシステムは、利用可能なシステム資源(例えば、帯域幅及び送信電力)を共有することによって、複数のユーザとの通信をサポートすることができる多元接続システムであり得る。このような多元接続システムの例は、符号分割多元接続（code division multiple access, CDMA）システムと、時分割多元接続(time division multiple access, TDMA)システムと、周波数分割多元接続(frequency division multiple access, FDMA)システムと、３ＧＰＰのロングタームエボリューション(Long Term Evolution, LTE)システムと、直交周波数分割多元接続(orthogonal frequency division multiple access, OFDMA)システムと、他のシステムとを含む。
【０００４】
一般に、無線多元接続通信システムは、複数の無線端末に対する通信を同時にサポートすることができる。各端末は、順方向リンクと逆方向リンクとにおける送信によって、１つ以上の基地局と通信する。順方向リンク(又はダウンリンク)は、基地局から端末への通信リンクを指し、逆方向リンク(又はアップリンク)は、端末から基地局への通信リンクを指す。この通信リンクは、単入力単出力（single-in-single-out）、多入力単出力（multiple-in-single-out）又は多入力多出力（multiple-in-multiple-out, MIMO）システムによって確立され得る。
【０００５】
ＭＩＭＯシステムは、データ送信のために、複数（ＮＴ）本の送信アンテナと複数（ＮＲ）本の受信アンテナとを用いる。ＮＴ本の送信アンテナとＮＲ本の受信アンテナとによって形成されるＭＩＭＯチャネルは、ＮＳ本の独立チャネルに分解することができ、これは空間チャネルとも称される。なお、ＮＳ≦ｍｉｎ{ＮＴ，ＮＲ}である。ＮＳ本の独立チャネルの各々は、一次元に相当する。複数本の送信アンテナと複数本の受信アンテナとによって生成される追加の次元が利用される場合に、ＭＩＭＯシステムは、向上した性能(例えば、より高いアウトプット及び／又はより大きな信頼性)を提供することができる。
【０００６】
ＭＩＭＯシステムは、時分割デュプレックス(time division duplex, TDD)システムと周波数分割デュプレックス（frequency division duplex, FDD）システムとをサポートする。ＴＤＤシステムでは、順方向リンク送信と逆方向リンク送信とは同じ周波数領域にあり、したがって相反定理により、逆方向リンクチャネルから順方向リンクチャネルを推定することができる。これは、アクセスポイントにおいて複数のアンテナが利用可能である場合に、アクセスポイントが、順方向リンクにおける送信ビームフォーミングの利得を抽出することを可能にする。
【０００７】
１つのみ基地局が送信して、この基地局からの信号が端末で受信される場合に、端末によって送られた信号が、基地局において受信されるように、端末は、リンクを閉じるのに必要な送信電力量を決定することができる。しかしながら多くの状況では、複数の基地局が実質的に同時に送信することができ、端末は、これらの全ての基地局から信号を受信することができる。全ての基地局からの総電力が受信されるので、端末は、１つの基地局と通信するために必要な送信電力が分からない。これは、端末によって送られる送信における過剰な電力、したがって他の端末に対する過剰な干渉をもたらすことがある。さらに、必要な電力を上回る電力が送信され得るので、バッテリ寿命を短くすることになることがある。
【概要】
【０００８】
１つ以上の態様の基本的な理解を提供するために、このような態様の簡略化した概要を以下に提示する。この概要は、考えられる態様全ての広範な概略ではなく、全ての態様の重要又は重大な要素を特定することも、任意又は全ての態様の範囲を描写することも意図していない。その唯一の目的は、後で提示されるより詳細な説明に対する前置きとして、１つ以上の態様の幾つかの概念を簡略化した形で提示することである。
【０００９】
１つ以上の態様とその対応する開示とに従って、様々な態様が、セクタごとに受信電力レベルを決定することに関して記載されている。１つの態様は、セクタごとの受信電力レベルを決定する方法に関する。前記方法は、各アクセスポイントから、アクセスポイントパイロット信号を受信することと、各アクセスポイントパイロット信号から、時間領域のチャネル応答を決定することとを具備する。前記方法はさらに、各アクセスポイントパイロット信号から、セクタごとの受信ディジタル電力レベルを決定することと、少なくともディジタル電力レベルに基づいて、各アクセスポイントからの受信電力レベルを決定することとを具備する。アクセスポイントはセクタを表わすことができる。
【００１０】
別の態様は、メモリとプロセッサとを含む無線通信装置に関する。メモリは、各アクセスポイントから、アクセスポイントパイロット信号を受信することと、各アクセスポイントパイロット信号から、時間領域のチャネル応答を決定することとに関する命令を保持することができる。さらにメモリは、各アクセスポイントパイロット信号から、セクタごとの受信ディジタル電力レベルを確立することに関する命令を保持することができる。さらにメモリは、少なくともディジタル電力レベルに基づいて、各アクセスポイントからの受信電力レベルを計算することに関する命令を保持することができる。各アクセスポイントはセクタを表わすことができる。プロセッサは、メモリに結合することができ、メモリに保持されている命令を実行するように構成することができる。
【００１１】
更なる態様は、無線通信システムおいて動作可能な無線通信装置に関する。装置は、複数のアクセスポイントパイロット信号を受信する手段と、複数のアクセスポイントパイロット信号のうちの各アクセスポイントパイロット信号から、時間領域のチャネル応答を決定する手段とを具備することができる。さらに装置は、各アクセスポイントパイロット信号から、セクタごとの受信ディジタル電力レベルを決定する手段と、少なくともディジタル電力レベルに基づいて、各アクセスポイントからの受信電力レベルを決定する手段とを具備することができる。
【００１２】
また別の態様は、セクタごとの受信電力レベルを決定する機械実行可能命令を記憶させた機械読み出し可能媒体に関する。機械実行可能命令は、各アクセスポイントパイロット信号が１つのアクセスポイントからのものである、複数のアクセスポイントパイロット信号を受信することと、複数のアクセスポイントパイロット信号のうちの各アクセスポイントパイロット信号から、時間領域のチャネル応答を決定することとを備えることができる。さらに機械実行可能命令は、各アクセスポイントパイロット信号から、セクタごとの受信ディジタル電力レベルを確立することと、少なくともディジタル電力レベルに基づいて、各アクセスポイントからの受信電力レベルを計算することとを備えることができる。各アクセスポイントからの受信電力レベルは、セクタごとのディジタル電力レベルと、アナログフロントエンドの受信機利得と、ディジタルフロントエンドの受信機利得と、アナログディジタル変換器（Analog-to-Digital Converter, ADC）の出力における総受信電力とから計算することができる。
【００１３】
無線通信システムにおいて、別の態様は、プロセッサを具備する装置に関する。プロセッサは、複数のアクセスポイントパイロット信号を受信するように構成することができ、各パイロット信号は、異なるアクセスポイントからのものであり得る。さらにプロセッサは、各アクセスポイントパイロット信号から、時間領域のチャネル応答を突き止めるように構成することができる。さらにプロセッサは、各アクセスポイントパイロット信号から、セクタごとの受信ディジタル電力レベルを決定し、少なくともディジタル電力レベルに基づいて、各アクセスポイントからの受信電力レベルを計算するように構成することができる。
【００１４】
上述と、関連する目的とを達成するために、１つ以上の態様は、この後で十分に記載され、請求項でとくに指摘される特徴を備えている。以下の記載と添付の図面とは、１つ以上の態様のある特定の例示的な特徴を詳しく示している。しかしながら、これらの特徴は、様々な態様の原理が用いられ得る様々なやり方のうちの幾つかのみを示している。他の効果と新規な特徴とは、以下の詳細な説明から、図面と併せて検討するときに明らかになり、開示されている態様は、全てのこのような態様と、同等のものとを含むように意図されている。
【図面の簡単な説明】
【００１５】
【図１】ここに提示されている様々な態様に従って、無線通信システムを示す図。
【図２】１つ以上の態様に従って、多元接続無線通信システムを示す図。
【図３】開示されている態様に従って、セクタごとの受信電力を決定する無線通信システムを示す図。
【図４】開示されている態様に従って、例示的な逆高速フーリエ変換(Inverse Fast Fourier Transform, IFFT)を示す模式図。
【図５】セクタごとの受信電力レベルを決定する方法を示す図。
【図６】開示されている態様の１つ以上に従って、セクタごとの受信電力レベルの決定を容易にするシステムを示す図。
【図７】ここに提示されている様々な態様に従って、受信電力レベルを決定するサンプルを容易にするシステムを示す図。
【図８】例示的な無線通信システムを示す図。
【図９】セクタごとの受信電力レベルの決定を容易にする例示的なシステムを示す図。
【詳細な説明】
【００１６】
ここで図面を参照して、様々な態様を記載する。以下の記載では、説明の目的で、数多くの具体的な詳細が、１つ以上の態様の完全な理解を提供するために示されている。しかしながら、これらの具体的な詳細がなくても、このような態様が実行され得ることは、明らかであるかもしれない。他の事例では、これらの態様の説明を容易にするために、周知の構造とデバイスとがブロックダイヤグラムの形で示されている。
【００１７】
本願で使用されているように、「コンポーネント」、「モジュール」、「システム」などの用語は、コンピュータに関するエンティティ、すなわち、ハードウェア、ファームウェア、ハードウェアとソフトウェアとの組み合わせ、ソフトウェア、又は実行中のソフトウェアを指すことを意図している。例えば、コンポーネントは、プロセッサにおいて実行されるプロセス、プロセッサ、オブジェクト、エグゼキュータブル、実行スレッド、プログラム、及び／又はコンピュータであり得るが、これらに制限されない。例として、コンピューティングデバイスにおいて実行されるアプリケーションと、コンピューティングデバイスとの両者が、コンポーネントであり得る。１つ以上のコンポーネントが、１つのプロセス及び／又は実行スレッド内に存在することもあり、１つのコンポーネントが、１つのコンピュータに配置されることも、及び／又は２つ以上のコンピュータ間で分散されることもある。さらに、これらのコンポーネントは、様々なデータ構造を記憶させた様々なコンピュータ読み出し可能媒体から実行することができる。コンポーネントは、例えば、１つ以上のデータパケットを有する信号に従って、ローカル及び／又はリモートプロセスによって通信し得る(例えば、１つのコンポーネントからのデータは、ローカルシステム、分散システム中の別のコンポーネントと、及び／又はインターネットのようなネットワークをわたって他のシステムと、信号によって対話する)。
【００１８】
さらに、様々な態様が、無線端末に関連してここに記載されている。無線端末はさらに、システム、加入者ユニット、加入者局、移動局、モバイル、移動デバイス、デバイスの遠隔局、遠隔端末、アクセス端末、ユーザ端末、端末、無線通信デバイス、ユーザエージェント、ユーザデバイス、又はユーザ機器(user equipment, UE)と呼ぶことができる。無線端末は、セルラ電話、コードレス電話、セッション開始プロトコル(Session Initiation Protocol, SIP)電話、スマートフォン、無線ローカルループ(wireless local loop, WLL)ステーション、パーソナルディジタルアシスタント(personal digital assistant, PDA)、ラップトップ、ハンドヘルド型通信デバイス、ハンドヘルド型コンピューティングデバイス、衛星ラジオ、及び／又は、無線システムによって通信する別の処理デバイスであり得る。さらに、様々な態様が、基地局に関連してここに記載されている。基地局は、無線端末と通信するために利用することができ、アクセスポイント、ノードＢ又は他の何らかの用語でも称され得る。
【００１９】
様々な態様又は特徴が、幾つかのデバイス、コンポーネント、モジュールなどを含み得るシステムに関して提示される。様々なシステムは、追加のデバイス、コンポーネント、モジュールなどを含んでもよく、及び／又は図面に関連して記載されているデバイス、コンポーネント、モジュールなどの全てを含まなくてもよいと理解され認識されるべきである。これらのアプローチの組み合わせも使用され得る。
【００２０】
ここで図１を参照すると、ここに提示されている様々な態様に従って、無線通信システム100が示されている。システム100は、１つ以上のセクタ中に１つ以上の基地局102を備えることができ、１つ以上の基地局102は、相互に、及び／又は１つ以上の移動デバイス104と、無線通信信号を受信、送信、中継などする。各基地局102は、(例えば、各送信及び受信アンテナに１つずつ)複数の送信機チェーンと受信機チェーンとを備えることができ、また、その各々は、信号の送信と受信とに関連する複数のコンポーネント(例えば、プロセッサ、変調器、マルチプレクサ、復調器、デマルチプレクサ、アンテナなど)を備えることができる。各移動デバイス104は、１つ以上の送信機チェーンと受信機チェーンとを備えることができ、これらは、多入力多出力（ＭＩＭＯ）に利用することができる。当業者によって理解されるように、各送信機及び受信機チェーンは、信号の送信と受信とに関連する複数のコンポーネント(例えば、プロセッサ、変調器、マルチプレクサ、復調器、デマルチプレクサ、アンテナなど)を備えることができる。
【００２１】
様々な基地局102は、実質的に同時に信号を送信することができる。これらの信号の各々は組み合わされて、電力の総計が移動デバイスにおいて受信される。システム100は、移動デバイスにおいて、セクタごとに受信電力を決定するように構成することができる。この決定された受信電力に基づいて、移動デバイスは、希望の基地局と通信するための送信電力を調整することができる。セクタごとに受信電力を決定すると、移動デバイスが、過剰な干渉を発生させる高過ぎるレベルと、基地局が移動デバイスからの信号を受信しないことになり得る低過ぎるレベルとに、送信電力を設定しないようにすることを助けることができる。さらに、適切な電力レベルで送信すると、バッテリ消費のようなシステム資源を節約することができる。
【００２２】
ここで図２を参照すると、１つ以上の態様に従って、多元接続無線通信システム200が示されている。無線通信システム200は、１つ以上のユーザデバイスと交信する１つ以上の基地局を含むことができる。各基地局は、複数のセクタに対する受信可能範囲を提供している。３セクタの基地局202は複数のアンテナグループを含み、１つのアンテナグループはアンテナ204と206とを含み、別のアンテナグループはアンテナ208と210とを含み、第３のアンテナグループはアンテナ212と214とを含んでいる。図によると、各アンテナグループに対して、２本のみのアンテナが示されているが、各アンテナグループに対して、より多くの又はより少ないアンテナが利用されることもある。アンテナ212と214とが、順方向リンク220によって移動デバイス216に情報を送信し、逆方向リンク218によって移動デバイス216から情報を受信する場合に、移動デバイス216はアンテナ212と214と通信する。順方向リンク(又はダウンリンク)は、基地局から移動デバイスへの通信リンクを指し、逆方向リンク(又はアップリンク)は、移動デバイスから基地局へ通信リンクを指す。アンテナ204と206とが、順方向リンク226によって移動デバイス222に情報を送信し、逆方向リンク224によって移動デバイス222から情報を受信する場合に、移動デバイス222はアンテナ204と206と通信する。
【００２３】
アンテナの各グループ、及び／又はそれらが通信するように指定されているエリアは、基地局202のセクタと称され得る。１つ以上の態様において、各アンテナグループは、セクタ中、すなわち、基地局202によってカバーされているエリア中の移動デバイスに通信するように設計されている。基地局は、端末と通信するために使用される固定局であり得る。
【００２４】
移動デバイスにおいて電力を制御することによって、開示されている態様は、移動デバイスのバッテリ寿命を延ばすこと、及び／又は他の移動デバイスに対して発生する干渉を軽減することができる。移動デバイスが、特定の基地局と通信するために必要な電力を上回る余分な電力を送信しないので、バッテリ寿命を延ばすことができる。さらに又はその代わりに、移動デバイスが適切な電力レベルで送信する場合に、セルラネットワーク内の他の移動デバイスに対する干渉コストが軽減され、他の移動デバイス(又はデバイスのユーザ)は、セルラネットワーク内でより良い経験をすることができる。
【００２５】
図３は、開示されている態様に従って、セクタごとの受信電力レベルを決定する無線通信システム300を示している。無線通信システム300には、複数の移動デバイスに送信する複数のアクセスポイントがあり得る。移動デバイスが、ある特定の電力でアクセスポイントの１つに送信することを望む場合に、移動デバイスは、電力制御アルゴリズムを行う。アクセスポイントが１つである場合は、典型的な電力制御アルゴリズムは単純である。その理由は、移動デバイスによって送られた信号がアクセスポイントにおいて受信されるように、リンクを閉じるのにどれくらいの送信電力が必要であるかを決定するために、移動デバイスの受信機アンテナにおいて電力レベルが測定されるからである。受信アンテナにおける測定値は、受信信号強度インジケータ(Received Signal Strength Indicator, RSSI)測定値と称される。しかしながら、信号を送信している複数のアクセスポイントがある場合は、全信号の電力の合計が、移動デバイスにおいて受信される。この状況において、ＲＳＳＩ測定値は、全アクセスポイントからの電力の総計であるので、これに依存することはできない。システム300は、移動デバイスが、受信電力の総計に基づいて、各アクセスポイントによって送信された個々の電力を決定し、(フェージングなどのような他の基準を考慮に入れて)適切な電力の係数を決定することができるように構成され得る。
【００２６】
複数のアクセスポイントは、アクセスポイント１乃至アクセスポイントＮ（なお、Ｎは整数である）と表示され、まとめてアクセスポイント302と称され、移動デバイス304と無線通信をする。理解されるように、無線通信システムには、複数の移動デバイスがあり得るが、単純化のために、単一の移動デバイス304が示されている。無線通信システム300は任意のタイプの無線通信であり得ることに注意すべきである。したがって、ここに開示されている様々な態様は、ＯＦＤＭＡシステムに関連し得るが、他のシステム(例えば、ＣＤＭＡ、ＴＤＭＡなど)が、開示されている態様に利用されることもある。幾つかの態様に従って、シングルキャリア波形の低いピーク対平均電力比(peak-to-average power ratio, PAR)の特性を維持するチャネル構造(任意の所定の時間に、チャネルが、周波数において均一に間隔が空けられている、又は連続している)を提供することができる。
【００２７】
移動デバイス304において行われる受信信号強度表示(Received Signal Strength Indication, RSSI)測定値は通常、全てのアクセスポイント302又はセクタからの、移動デバイス304で受信された総電力を含んでいる。この総電力の測定値は、自動利得制御(automatic gain control, AGC)のようなアルゴリズムには有益であるが、電力制御のようなアルゴリズムにはほとんど役立たない。したがって、移動デバイス304において、セクタごと(アクセスポイントごと)の受信電力を決定することが有益である。各セクタに対する受信電力レベルを利用して、例えば、逆方向リンクサービングセクタ(Reverse Link Serving Sector, RLSS)に対する電力レベルを制御することができ、さらに、移動デバイス304のハンドオフを決定することもできる。
【００２８】
移動デバイス304は受信機306を含むことができ、受信機306は、各アクセスポイント302のアクセスポイント(セクタ)パイロット信号を受信するように構成することができる。受信機306は、受信アンテナに関連付けることができる。アクセスポイントパイロット信号は、各アクセスポイント302によって既に送信された既存のパイロット信号であり得るが、アクセスポイントパイロット信号は、各アクセスポイント302から受信した電力レベルを最終的に決定するために、移動デバイス304によって利用される。とくに、アクセスポイント302は通常、セクタスクランブリングシーケンスでスクランブルされた広帯域のパイロット信号を送る。
【００２９】
時間領域のチャネル応答(time-domain channel response, TDCR)確立器（establisher）308は、各受信アクセスポイントパイロット信号から、時間領域のチャネル応答を決定するように構成することができる。ＴＤＣＲ決定器（TDCR determiner）308は、セクタ別の受信信号電力のセクタごとのチャネルタップ推定を取得することによって、各アクセスポイントパイロット信号から、時間領域のチャネル応答を決定することができる。これらのチャネル推定は、全てのスーパーフレームプリアンブルの２つの連続するＯＦＤＭシンボル中に存在する広帯域のパイロットに基づいて計算することができる。ここでは、この広帯域のパイロットはＦ−ＣＰＩＣＨと称される。ここでは、Ｆ−ＣＰＩＣＨが存在する２つの連続するＯＦＤＭシンボルは、０と１のインデックスを付されたＦ−ＣＰＩＣＨ ＯＦＤＭシンボルと称される。パイロット信号は、これらのＯＦＤＭシンボルの各々において△だけ一様に間隔を空けられた１組のトーンを占め、これらのＯＦＤＭシンボルの各々における第１のパイロットトーンのトーンインデックスは、△／２だけ異なる。他の広帯域のパイロットもこの目的を満たすと理解されるべきである。
【００３０】
以下でさらに記載されるように、セクタごとの受信ディジタル電力レベル(Received Digital Power Level, RDPL)決定器310は、各アクセスポイントパイロット信号から、セクタ(アクセスポイント)ごとの受信ディジタル電力レベルを決定するように構成することができる。
【００３１】
さらに、受信電力レベル(Received Power Level, RPL)確立器312が含まれており、ＲＰＬ確立器312は、各アクセスポイントに対する、移動デバイス304のアンテナにおける受信電力レベル(Received Power Level, RPL)を決定するように構成することができる。ＲＰＬは、少なくとも、セクタごとのディジタル電力レベル（ＲＤＰＬ）値を利用することによって決定することができ、この値は、各アクセスポイント302に対する、移動デバイス304のアンテナにおける受信電力レベルを決定するために、他の標準的な電力測定値と組み合わせることができる。他の標準的な電力測定値は、アナログディジタル変換器(ＡＤＣ)(示されない)の出力において測定された総受信電力やＡＧＣ利得のようなものである。各セクタに対する、アンテナにおける受信電力レベルを利用して、ＲＬＳＳの送信電力を設定することと、ハンドオフを決定することとができる。
【００３２】
システム300は、移動デバイス304と動作可能に結合されたメモリ314を含むことができる。メモリ314は、移動デバイス304の外部にあるか、又は移動デバイス304内に存在することができる。メモリ314は、各アクセスポイントから、アクセスポイントパイロット信号を受信し、各アクセスポイントパイロット信号から、時間領域のチャネル応答を決定し、各アクセスポイントパイロット信号から、セクタごとの受信ディジタル電力レベルを決定し、少なくともディジタル電力レベルに基づいて、各アクセスポイントからの受信電力レベルを決定することに関する情報と、通信ネットワークにおける受信電力レベルを決定することに関する他の適切な情報とを記憶することができる。プロセッサ316は、通信ネットワークにおける各アクセスポイント(セクタ)からの受信電力レベルを決定することに関する情報の分析を容易にするために、移動デバイス304(及び／又はメモリ314)と動作可能に接続することができる。プロセッサ316は、移動デバイス304によって受信された情報の分析及び／又は生成に専用のプロセッサ、システム300の１つ以上のコンポーネントを制御するプロセッサ、並びに／或いは移動デバイス304によって受信された情報の分析と生成との両者を行い、システム300の１つ以上のコンポーネントを制御するプロセッサであり得る。
【００３３】
移動デイス304と基地局302との間の通信の制御などに対する措置として、メモリ314は、電力制御測定と、そのような測定に関する計算とに関連するプロトコルを記憶することができる。したがってシステム300は、ここに記載されているように無線ネットワークにおけるセクタごとの受信電力レベルを決定するために、記憶されているプロトコル及び／又はアルゴリズムを用いることができる。ここに記載されているデータ記憶(例えば、メモリ)コンポーネントは、揮発性メモリ又は不揮発性メモリの何れか、或いは揮発性メモリと不揮発性メモリとの両者を含むことができると理解されるべきである。例として、不揮発性メモリは、読み出し専用メモリ(read only memory, ROM)、プログラム可能なＲＯＭ(programmable ROM, PROM)、電気的にプログラム可能なＲＯＭ(electrically programmable ROM, EPROM)、電気的に消去可能なＲＯＭ(electrically erasable ROM, EEPROM)、又はフラッシュメモリを含むことができるが、これらに制限されない。揮発性メモリは、外部キャッシュメモリの役割をするランダムアクセスメモリ(random access memory, RAM)を含むことができる。例として、ＲＡＭは、同期ＲＡＭ(synchronous RAM, DRAM)と、ダイナミックＲＡＭ(dynamic RAM, DRAM)と、同期ＤＲＡＭ(synchronous DRAM, SDRAM)と、ダブルデータレートＳＤＲＡＭ(double data rate SDRAM, DDR SDRAM)と、拡張型ＳＤＲＡＭ(enhanced SDRAM, ESDRAM)と、シンクリンクＤＲＡＭ（Synchlink DRAM, SLDRAM)と、直接ラムバスＲＡＭ(direct Rambus RAM, DRRAM)とのような、多くの形式で利用可能であるが、これらに制限されない。開示されている態様のメモリ314は、これらと、他の適切なタイプのメモリとを、非制限的に含むことが意図されている。
【００３４】
図４は、開示されている態様に従って、例示的な逆高速フーリエ変換(Inverse Fast Fourier Transform, IFFT)400の模式図を示している。上の図はＩＦＦＴ402を示しており、ＩＦＦＴ402は、入力404を受け取って、ＩＦＦＴ402によって処理して、出力406を生成する。下の図は同様であるが、さらに、入力を循環的にシフトすること408を含んでいる。ここで、処理に関する更なる詳細な情報を記載する。
【００３５】
図によると、ガードトーンに入っている全ての入力パイロットの観測
【数１】
2010523059.tif 000003
【００３６】
は、０によって置換される。これらのトーンでは何も送られなかったことが分かっているので、これらの観測は雑音のみであり、これらをゼロにすると、性能が向上する。
【００３７】
次に、各ａとｓとに対して、ＮＰ点のＩＦＦＴを行って、ｋ番目のＩＦＦＴの出力に
【数２】
2010523059.tif 000004
【００３８】
を乗算して、時間領域のチャネルタップを得る。パイロットトーンのオフセットＩｓを補うために、ＩＦＦＴの出力において位相ランプ（phase ramp）を利用する。真の時間領域チャネルタップに加えられた何らかの不要な時間領域位相ランプのない、真の時間領域チャネルタップを取得するために、Ｊｓ＝Ｉｓを利用する。しかしながら、１つの態様によると、乗算数を低減するとともに、ＤＳＰ内で既に利用可能な調整可能な係数を利用するために、Ｊ０＝０、Ｊ１＝Ｉ１−Ｉ０を利用する。Ｉ１＝（Ｉ０＋（△／２））ｍｏｄ△であることと、△＝ＮＦＦＴ／ＮＰであることとに注意すべきであり、これは、Ｆ−ＣＰＩＣＨ ＯＦＤＭＳｙｍｂｏｌ ０が、回転を必要とせず、一方でＯＦＤＭＳｙｍｂｏｌ 1が、ｅｘｐ（ｊδπｋ／ＮＰ）による回転を必要とすることを示す。なお、ｋ＝０，１，・・・ＮＰ−１であり、Ｉ０＜Δ／２である場合に、δは１であり、それ以外の場合に、δは−１である。
【００３９】
さらに、−１＝１−２と書いて、ＩＦＦＴ入力を１ずつ循環的にシフトすることにより、ｅｘｐ（−ｊ２πｋ／ＮＰ）を乗算することによって、δ＝−１の場合を取り扱う。時間領域のチャネル推定をもたらすことになる、取り消されていない位相ランプは、アルゴリズムの他の部分に影響を与えない。各ＮＰ点のＩＦＦＴの出力を処理して、２ＮＰの時間領域のチャネルタップ推定
【数３】
2010523059.tif 000005
【００４０】
を求めることができる。
【００４１】
図４において演算を実行した後に、
【数４】
2010523059.tif 000006
【００４２】
によって与えられる、２ＮＰ点のベクトル
【数５】
2010523059.tif 000007
【００４３】
を生成する。なお、ｋ＝０，１，・・・ＮＰ−１である。ここで、加算と、減算と、２による除算は完全精度で行い、その後で、ｓ．１５に収束丸め（convergent rounding）をする。
【００４４】
１つの態様によると、セクタごとの受信ディジタル電力レベルは、各アクセスポイントパイロット信号からの時間領域のチャネル応答から決定される。とくに、上述を参照すると、
【数６】
2010523059.tif 000008
【００４５】
である。１つの態様によると、演算は完全精度で行い、その後で、ｓ．１５に切捨てる。
【００４６】
各アクセスポイントからの移動デバイスにおける受信電力レベルは、少なくとも、既に決定されたディジタル電力レベルに基づく。とくに、アンテナごと、セクタごとの、平均受信機電力は、ＣＰＩＣＨのプリアンブル処理ブロックによって推定され、ｐｋ，ｓとして示される。なお、ｋはアンテナのインデックスであり、ｓはセクタのインデックスである。これらの値はディジタルの数値であり、１つの態様によると、ｄＢｍ値に変換される。この目的のために、ＡＤＣの出力において計算された推定エネルギを利用する。その理由は、後述するように、ＡＧＣの利得状態に応じて、この値をｄＢｍ値に直接にマップするからである。ＡＤＣの出力における推定エネルギパラメータを、Ｅｋとして示す。このパラメータは、全てのセクタからの寄与を有することに注意すべきである。
【００４７】
１つの態様によると、「セクタごと」の、ＡＤＣの出力における推定エネルギｋは、以下のように計算される。
【数７】
2010523059.tif 000009
【００４８】
なお、ｐｋ，ｓは、セクタのインデックスs及びアンテナのインデックスｋごとのディジタル電力であり、Ｅｋは、ＡＤＣの出力における総受信電力である。
【００４９】
１つの態様によると、セクタごとの、ＡＤＣの出力における上述の推定エネルギは、以下のように、それをフルスケールのＡＤＣ電力に正規化して、アナログ利得を減算することによって、受信アンテナにおけるｄＢｍの電力レベルにマップすることができる。
【数８】
2010523059.tif 000010
【００５０】
なお、アナログ利得状態１がアクティブであり、アナログ利得状態２が非アクティブである場合に、ＩＧａｉｎＳｔａｔｅ１＝１であり、アナログ利得状態１と２がアクティブである場合に、ＩＧａｉｎＳｔａｔｅ２＝１である。それ以外の場合は、これらの変数は０の値をとる。
【００５１】
パラメータＡＤＢｉｔＷｉｄｔｈ＝ｘ−ｂｉｔｓであり、ｘは整数であり、１つの態様によると、ｘは１４に等しく、較正変数ＲＥＦ ＰＷＲと、ＲＸ ＲＦＥＥ ＰＡＴＨ ＬＯＳＳと、ＲＸ！ ＯＦＦＳＥＴ ０ ７と、ＲＸ１ ＯＦＦＳＥＴ ７ １４とは、アナログ利得状態のハードウェアに依存したプログラム可能なパラメータであることに注意すべきである。さらに、他の態様は、複数のＡＧＣの利得状態と、関与しているハードウェアに関連する他のプログラム可能な定数とを有し得ることに注意すべきである。したがって、上述の式は、開示されている態様の十分な理解のために、例示を目的としている。
【００５２】
全ての受信アンテナで平均した平均受信電力(ｄＢｍ)は、以下のように与えられる。
【数９】
2010523059.tif 000011
【００５３】
なお、ＭＲは、移動デバイスに対する受信機アンテナの数である。
【００５４】
既に示され記載された例示的なシステムを考慮して、開示されている内容に従って実施され得る方法は、次のフローチャートを参照してより良く理解されるであろう。説明の単純化の目的で、方法は一連のブロックとして示され記載されているが、幾つかのブロックが、ここに示され記載されているものとは異なる順序で、及び／又は他のブロックと同時に行われ得るように、請求項に係る内容は、ブロックの数と順序とによって制限されないと理解され認識されるべきである。さらに、示されている全てのブロックが、この後に記載されている方法を実施するために必要とされるわけではない。ブロックに関連する機能は、ソフトウェア、ハードウェア、その組み合わせ、又は任意の他の適切な手段(例えば、デバイス、システム、プロセス、コンポーネント)によって実施され得ると理解されるべきである。さらに、この後と、本明細書の全体とに開示されている方法は、このような方法を様々なデバイスに移動させる及び移すことを容易にするために、製造品に記憶させることができると理解されるべきである。当業者は、代わりに、状態図のような一連の相互に関連する状態又はイベントとして、方法を表現することができると理解し認識するであろう。
【００５５】
図５は、セクタごとの受信電力レベルを決定する方法500を示している。端末が通信している又は通信することを望んでいる基地局からの受信電力にしたがって、端末(例えば、移動デバイス)の電力を調節することができるので、方法500は端末の電力制御を容易にすることができる。このようなやり方で、電力が制御されるので、方法500は端末のバッテリ寿命の延長を促すことができ、したがって、必要な電力を上回って送信される余分な電力を軽減することができる。さらに端末は、必要な電力よりもはるかに高い電力で送信せず、したがって、他の端末に対する干渉コストを軽減する。
【００５６】
方法500は、502において、各アクセスポイントからアクセスポイントパイロット信号が受信されるときに始まる。アクセスポイントは、セクタと称することもできる。(ある地理的エリア又は範囲内の)全てのアクセスポイントからの総電力が受信されることに注意すべきである。
【００５７】
504において、各アクセスポイント(セクタ)パイロット信号から、時間領域のチャネル応答が決定される。幾つかの態様によると、時間領域のチャネル応答を決定することは、セクタ別の受信信号電力のセクタごとのチャネルタップ推定を取得することを含む。チャネル推定は、全てのスーパーフレームプリアンブルの２つの連続するＯＦＤＭシンボル中に存在する広帯域のパイロットに基づいて計算することができる。
【００５８】
506において、各アクセスポイントパイロット信号から、セクタ(アクセスポイント)ごとの受信ディジタル電力レベルが決定される。幾つかの態様によると、セクタごとの受信ディジタル電力レベルは、各アクセスポイントパイロット信号からの時間領域のチャネル応答から決定することができる。幾つかの態様によると、受信電力レベルを決定するために、ＡＧＣ利得及び総受信電力と、ディジタル電力レベルとを組み合わせることができる。
【００５９】
508において、少なくともディジタル電力レベルに基づいて、各アクセスポイントからの受信電力レベルが決定される。各アクセスポイントからの受信電力レベルは、セクタごとのディジタル電力レベルと、アナログフロントエンドの受信機利得と、ディジタルフロントエンドの受信機利得と、アナログディジタル変換器(ＡＤＣ)の出力における総受信電力とから計算される。幾つかの態様によると、セクタごとの受信ディジタル電力レベルの決定は、各アクセスポイントパイロット信号からの時間領域のチャネル応答から決定される。決定された受信電力レベルを利用して、逆方向リンクサービングセクタの送信電力を設定し、ハンドオフを決定する。
【００６０】
幾つかの態様によると、方法500はさらに、ｐｋ，ｓが、セクタのインデックスｓ及びアンテナのインデックスｋごとのディジタル電力であり、Ｅｋが、ＡＤＣの出力における総受信電力である場合に、
【数１０】
2010523059.tif 000012
【００６１】
として、セクタごとの、ＡＤＣの出力における推定エネルギを計算することを含むことができる。この推定は、フルスケールのＡＤＣ電力に正規化して、アナログ利得を減算することによって、受信アンテナにおけるｄＢＭの電力レベルにマップすることができる。
【００６２】
ここで図６を参照すると、開示されている態様の１つ以上に従って、セクタごとの受信電力レベルを決定することを容易にするシステム600が示されている。システム600はユーザデバイス中に存在し得る。システム600は受信機602を含み、受信機602は、例えば受信機アンテナから信号を受信することができる。受信機602は、受信信号をフィルタにかけ、増幅し、ダウンコンバートするなどのような一般的な操作を行うことができる。受信機602はさらに、サンプルを取得するために、調整された信号をディジタル化することができる。復調器604は、各シンボル期間に対する受信シンボルを取得して、さらに、受信シンボルをプロセッサ606に提供することができる。
【００６３】
プロセッサ606は、受信機コンポーネント602によって受信された情報の分析、及び／又は送信機608によって送信される情報の生成、に専用のプロセッサであり得る。さらに又はその代わりに、プロセッサ606は、ユーザデバイス600の１つ以上のコンポーネントを制御すること、受信機602によって受信された情報を分析すること、送信機608によって送信される情報を生成すること、及び／又はユーザデバイス600の１つ以上のコンポーネントを制御することができる。プロセッサ606は、追加のユーザデバイスとの通信を調整することができるコントローラコンポーネントを含み得る。
【００６４】
ユーザデバイス600はさらにメモリ608を含むことができ、メモリは、プロセッサ606と動作可能に結合され、通信を調整することに関する情報と、任意の他の適切な情報とを記憶することができる。メモリ610はさらに、サンプルの再構成に関連するプロトコルを記憶することができる。ここに記載されているデータ記憶(例えば、メモリ)コンポーネントは、揮発性メモリ又は不揮発性メモリの何れか、或いは揮発性メモリと不揮発性メモリとの両者を含むことができると理解されるであろう。例として、不揮発性メモリは、読み出し専用メモリ(ＲＯＭ)、プログラム可能なＲＯＭ(ＰＲＯＭ)、電気的にプログラム可能なＲＯＭ(ＥＰＲＯＭ)、電気的に消去可能なＲＯＭ(ＥＥＰＲＯＭ)、又はフラッシュメモリを含むことができるが、これらに制限されない。揮発性メモリは、外部キャッシュメモリの役割をするランダムアクセスメモリ(ＲＡＭ)を含むことができる。例として、ＲＡＭは、同期ＲＡＭ(ＳＲＡＭ)と、ダイナミックＲＡＭ(ＤＲＡＭ)と、同期ＤＲＡＭ(ＳＲＡＭ)と、ダブルデータレートＳＤＲＡＭ(ＤＤＲ ＳＤＲＡＭ)と、拡張型ＳＤＲＡＭ(ＥＳＤＲＡＭ)と、シンクリンクＤＲＡＭ（ＳＬＤＲＡＭ)と、直接ラムバスＲＡＭ(ＤＲＲＡＭ)とのような、多くの形で利用可能であるが、これらに制限されない。対象のシステム及び／又は方法、のメモリ608は、これらと、他の適切なタイプのメモリとを、非制限的に含むことが意図されている。ユーザデバイス600はさらに、シンボル変調器612と、変調信号を送信する送信機608とを含むことができる。
【００６５】
さらに受信機602は、時間領域のチャネル応答（ＴＤＣＲ）決定器614と動作可能に結合され、ＴＤＣＲ決定器614は、各アクセスポイント(例えば、各セクタ)のパイロット信号から、ＴＤＣＲを決定することができる。さらに受信機602は、受信ディジタル電力レベル(ＲＤＰＬ)決定器616と動作可能に結合することができ、ＲＤＰＬ決定器616は、各アクセスポイントパイロット信号から、セクタごとのＲＤＰＬを突き止めることができる。さらに受信機602は、受信電力レベル(ＲＰＬ)決定器618と動作可能に結合することができ、ＲＰＬ決定器618は、ディジタル電力レベルに部分的に基づいて、各アクセスポイントからのＲＰＬを決定することができる。幾つかの態様によると、各アクセスポイントからの受信電力レベルは、セクタごとのディジタル電力と、アナログフロントエンドの受信機利得と、ディジタルフロントエンドの受信機利得と、ＡＤＣの出力における総受信電力とから計算される。
【００６６】
受信機602はさらに、セクタごとの受信電力レベルを決定するために必要な他のコンポーネントを含み得るが、そのようなコンポーネントは示されていない。そのようなコンポーネントは、アナログディジタル変換器を含むことができるが、これに制限されない。
【００６７】
図７は、ここに提示されている様々な態様に従って、受信電力レベルを決定することを容易にするシステム700を示している。システム700は、基地局又はアクセスポイント702を備えている。示されているように、基地局702は、受信アンテナ706によって１つ以上のユーザデバイス704から信号を受信し、送信アンテナ708を通して１つ以上のユーザデバイス704に送信する。
【００６８】
基地局702は受信機710を含み、受信機710は、受信アンテナ706から情報を受信し、復調器712と動作可能に関連付けられ、復調器712は、受信情報を復調する。復調されたシンボルは、プロセッサ714によって分析され、プロセッサ714はメモリ716に結合され、メモリ716は、ユニキャスト波形に埋め込まれたブロードキャスト−マルチキャスト波形に関する情報を記憶する。変調器718は、送信機720によって送信アンテナ708を通してユーザデバイス704に送信する信号を多重化することができる。
【００６９】
図８は、例示的な無線通信システム800を示している。無線通信システム800は、簡潔化のために、１つの基地局と１つの端末とを示している。しかしながら、システム800は、２つ以上の基地局又はアクセスポイント、並びに／或いは２つ以上の端末又はユーザデバイスを含むことができ、追加の基地局及び／又は端末は、後述される例示的な基地局及び端末と実質的に類似している或いは異なることがあると理解されるべきである。さらに、基地局及び／又は端末は、それらの間の無線通信を容易にするために、ここに記載されているシステム及び／又は方法を用いることができると理解されるべきである。
【００７０】
ここで図８を参照すると、ダウンリンクでは、アクセスポイント805において、送信(ＴＸ)データプロセッサ810は、トラフィックデータを受け取って、フォーマットして、コード化して、インターリーブして、変調して(又はシンボルマップして)、変調シンボル(「データシンボル」)を提供する。シンボル変調器815は、データシンボルとパイロットシンボルとを受け取って処理し、シンボルのストリームを提供する。シンボル変調器815は、データシンボルとパイロットシンボルとを多重化して、１組のＮ個の送信シンボルを取得する。各送信シンボルは、データシンボル、パイロットシンボル、又は０の信号値であり得る。パイロットシンボルは、各シンボル期間において連続的に送られ得る。パイロットシンボルは、周波数分割多重化(frequency division multiplexed, FDM)、直交周波数分割多重化(orthogonal frequency division multiplexed, OFDM)、時分割多重化（time division multiplexed, TDM）、周波数分割多重化(frequency division multiplexed, FDM)、又は符号分割多重化（code division multiplexed, CDM）であり得る。
【００７１】
送信機ユニット(ＴＭＴＲ)820は、シンボルのストリームを受け取って、１つ以上のアナログ信号に変換して、アナログ信号をさらに調整して(例えば、増幅して、フィルタにかけて、周波数アップコンバートして)、無線チャネルによる送信に適したダウンリンク信号を生成する。次にダウンリンク信号は、アンテナ825を通して端末に送信される。端末830において、アンテナ835は、ダウンリンク信号を受信して、受信信号を受信機ユニット(ＲＣＶＲ)840に提供する。受信機ユニット840は、受信信号を調整して(例えば、フィルタにかけ、増幅して、周波数ダウンコンバートして)、調整された信号をディジタル化して、サンプルを取得する。シンボル復調器845は、Ｎ個の受信シンボルを取得して、チャネル推定のために、受信パイロットシンボルをプロセッサ850に提供する。シンボル復調器845はさらに、ダウンリンクに対する周波数応答推定をプロセッサ850から受け取って、受信データシンボルに対してデータ復調を行って、(送信されるデータシンボルの推定である)データシンボル推定を取得して、データシンボル推定をＲＸデータプロセッサ855に提供して、ＲＸデータプロセッサ855は、データシンボル推定を復調して(すなわち、シンボルデマップして)、デインターリーブして、復号して、送信されたトラフィックデータを回復する。シンボル復調器845とＲＸデータプロセッサ855とによる処理は、アクセスポイント805における、シンボル変調器815とＴＸデータプロセッサ810とによる処理とそれぞれ相補的である。
【００７２】
アップリンクでは、ＴＸデータプロセッサ860は、トラフィックデータを処理して、データシンボルを提供する。シンボル変調器865は、データシンボルを受け取って、パイロットシンボルと多重化して、変調を行って、シンボルのストリームを提供する。次に送信機ユニット870は、シンボルのストリームを受け取って処理し、アップリンク信号を生成し、アップリンク信号は、アンテナ835によってアクセスポイント805に送信される。
【００７３】
アクセスポイント805において、端末830からのアップリンク信号は、アンテナ825によって受信され、受信機ユニット875によって処理され、サンプルが取得される。次にシンボル復調器880は、サンプルを処理して、アップリンクに対する、受信パイロットシンボルとデータシンボル推定とを提供する。ＲＸデータプロセッサ885は、データシンボル推定を処理して、端末830によって送信されたトラフィックデータを回復する。プロセッサ890は、アップリンクで送信している各アクティブな端末に対して、チャネル推定を行う。
【００７４】
プロセッサ890と850は、それぞれアクセスポイント805と端末830とにおける動作を指示(例えば、制御、調整、管理、・・・)する。それぞれのプロセッサ890と850は、プログラムコードとデータとを記憶するメモリユニット(示されない)に関連付けることができる。プロセッサ890と850はさらに、それぞれアップリンクとダウンリンクに対する、周波数応答推定とインパルス応答推定とを導き出す計算を行うことができる。
【００７５】
多元接続システム(例えば、ＦＤＭＡ、ＯＦＤＭＡ、ＣＤＭＡ、ＴＤＭＡなど)に対して、複数の端末が、アップリンクにおいて同時に送信することができる。このようなシステムに対して、パイロットのサブバンドは様々な端末間で共有され得る。各端末に対するパイロットのサブバンドが、(恐らくバンドエッジを除く)全動作帯域にわたる場合に、チャネル推定技術が使用され得る。このようなパイロットのサブバンド構造は、各端末に対する周波数ダイバーシティを取得するために望ましいであろう。ここに記載されている技術は、様々な手段によって実施され得る。例えば、これらの技術は、ハードウェア、ソフトウェア、又はその組み合わせにおいて実施され得る。ハードウェアの実施に対して、チャネル推定に使用される処理ユニットは、１つ以上の特定用途向け集積回路（application specific integrated circuit, ASIC）、ディジタル信号プロセッサ（digital signal processor, DSP）、ディジタル信号処理デバイス（digital signal processing device, DSPD）、プログラマブル論理デバイス（programmable logic devices, PLD）、フィールドプログラマブルゲートアレイ（field programmable gate array, FPGA）、プロセッサ、コントローラ、マイクロコントローラ、マイクロプロセッサ、ここに記載されている機能を実行するように設計された他の電子ユニット、又はその組み合わせの中で実施され得る。ソフトウェアでは、ここに記載されている機能を実行するモジュール(例えば、手続き、機能など)を通して実施され得る。ソフトウェアコードは、メモリユニットに記憶され、プロセッサ890と850とによって実行され得る。
【００７６】
図９を参照すると、セクタごとの受信電力レベルを決定することを容易にする例示的なシステム900が示されている。システム900は、バッテリ寿命を延ばすことができ、及び／又は無線通信ネットワークにおける干渉を軽減することができる。システム900は、移動デバイス内に少なくとも部分的に存在し得る。システム900は、機能ブロックを含んでいるように表わされていると理解されるべきである。機能ブロックは、プロセッサ、ソフトウェア、又はその組み合わせ（例えば、ファームウェア）によって実施される機能を表わす機能ブロックであり得る。
【００７７】
システム900は、別々に又は連結して動作することができる電気コンポーネントの論理グループ902を含む。例えば、論理グループ902は、各アクセスポイント(又はセクタ)から、アクセスポイントパイロット信号を受信する電気コンポーネント904を含み得る。幾つかの態様によると、各アクセスポイントからの受信電力レベルは、セクタごとの受信電力レベルと、アナログフロントエンドの受信機利得と、ディジタルフロントエンドの受信機利得と、アナログディジタル変換器の出力における総受信電力とから計算される。
【００７８】
論理グループ902はさらに、各アクセスポイント(又はセクタ)パイロット信号から、時間領域のチャネル応答を決定する電気コンポーネント906を含むことができる。幾つかの態様によると、電気コンポーネント906は、時間領域のチャネル応答を決定するために、セクタ別の受信信号電力のセクタごとのチャネルタップを取得する。
【００７９】
さらに論理グループ902は、各アクセスポイントパイロット信号から、セクタ(アクセスポイント)ごとの受信ディジタル電力レベルを決定する電気コンポーネント908を含むことができる。セクタごとのディジタル電力レベルは、各アクセスポイントパイロット信号からの時間領域のチャネル応答から決定することができる。
【００８０】
さらに論理グループにおいて、少なくともディジタル電力レベルに基づいて、各アクセスポイントからの受信電力レベルを決定する電気コンポーネント910を含むことができる。幾つかの態様によると、受信電力レベルを決定するために、ＡＧＣ利得及び総受信電力と、ディジタル電力レベルとを組み合わせる。決定された受信電力レベルを利用して、逆方向リンクサービングセクタの送信電力を設定し、ハンドオフを決定することができる。
【００８１】
幾つかの態様によると、論理グループ902は、セクタごとの、ＡＤＣの出力における推定エネルギを計算する電気コンポーネント(示されない)を含むことができる。セクタごとの、ＡＤＣの出力における推定エネルギの計算は、
【数１１】
2010523059.tif 000013
【００８２】
によって与えられ得る。なお、ｐｋ，ｓは、セクタのインデックスｓ及びアンテナのインデックスｋごとのディジタル電力であり、Ｅｋは、セクタのインデックスｓ及びアンテナのインデックスｋに対する、ＡＤＣの出力における総受信電力である。
【００８３】
さらにシステム900は、メモリ912を含むことができ、メモリ912は、電気コンポーネント904、906、908、910、又は他のコンポーネント、に関連した機能を実行する命令を保持する。メモリ912の外部にあるように示されているが、電気コンポーネント904、906、908、910のうちの１つ以上は、メモリ912の中に存在し得ると理解されるべきである。
【００８４】
ここに記載されている態様は、ハードウェア、ソフトウェア、ファームウェア、ミドルウェア、マイクロコード、又はその任意の組み合わせによって実施され得ると理解されるべきである。システム及び／又は方法が、ソフトウェア、ファームウェア、ミドルウェア、或いはマイクロコード、プログラムコード又はコードセグメントにおいて実施される場合に、これらは、記憶コンポーネントのような機械読み出し可能媒体に記憶され得る。コードセグメントは、手続き、機能、サブプログラム、プログラム、ルーチン、サブルーチン、モジュール、ソフトウェアパッケージ、クラス、或いは命令、データ構造又はプログラム文の任意の組み合わせを表わし得る。コードセグメントは、情報、データ、引き数、パラメータ、或いはメモリコンテンツを、パス及び／又は受信することによって、別のコードセグメント又はハードウェア回路に結合され得る。情報、引き数、パラメータ、データなどは、メモリ共有、メッセージパス、トークンパス、ネットワーク送信などを含む任意の適切な手段を使用して、パス、転送、又は送信され得る。
【００８５】
ここに開示されている態様に関連して記載された、様々な例示的な論理と、論理ブロックと、モジュールと、回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）又は他のプログラマブル論理デバイス、ディスクリートなゲート又はトランジスタ論理、ディスクリートなハードウェア構成要素、或いはここに記載されている機能を実行するように設計された任意の組み合わせで実施又は実行され得る。汎用プロセッサはマイクロプロセッサであってもよいが、その代わりにプロセッサは、任意の従来のプロセッサ、コントローラ、マイクロコントローラ又は状態機械であってもよい。プロセッサはさらに、コンピューティングデバイスの組み合わせ、例えば、ＤＳＰとマイクロプロセッサとの組み合わせ、複数のマイクロプロセッサ、ＤＳＰのコアと連結された１つ以上のマイクロプロセッサ、又は任意の他のこのような構成として実施され得る。さらに、少なくとも１つのプロセッサは、上述のステップ及び／又は動作、のうちの１つ以上を行うように動作可能な１つ以上のモジュールを備え得る。
【００８６】
ソフトウェアの実施に対して、ここに記載されている技術は、ここに記載されている機能を行うモジュール(例えば、手続き、機能など)で実施され得る。ソフトウェアコードは、メモリユニットに記憶され、プロセッサによって実行され得る。メモリユニットは、プロセッサ内に構成されても、又はプロセッサの外部に構成されてもよく、後者の場合は、当技術において知られている様々な手段を通して、プロセッサに通信可能に結合することができる。さらに、少なくとも１つのプロセッサは、ここに記載されている機能を行うように動作可能な１つ以上のモジュールを含み得る。
【００８７】
さらに、ここに記載されている様々な態様又は特徴は、方法、装置、或いは標準のプログラミング及び／又はエンジニアリング技術を使用した製造品として実施され得る。ここで使用されている「製造品」との用語は、任意のコンピュータ読出し可能デバイス、キャリア又は媒体からアクセス可能なコンピュータプログラムを包含することを意図している。例えば、コンピュータ読出し可能媒体は、磁気記憶デバイス(例えば、ハードディスク、フロッピー（登録商標）ディスク、磁気ストリップなど)と、光ディスク(例えば、コンパクトディスク(compact disk, CD)、ディジタルバーサタイルディスク（digital versatile disk, DVD）など）と、スマートカードと、フラッシュメモリデバイス(例えば、ＥＰＲＯＭ、カード、スティック、キードライブなど)とを含むことができるが、これらに制限されない。さらに、ここに記載されている様々な記憶媒体は、情報を記憶する１つ以上のデバイス及び／又は他の機械読出し可能媒体、を表わすことができる。「機械読出し可能媒体」との用語は、命令及び／又はデータを、記憶、収容、及び／又は搬送することができる、無線チャネルと様々な他の媒体とを含むことができるが、これらに制限されない。さらに、コンピュータプログラム製品は、ここに記載されている機能をコンピュータに実行させることができる、１つ以上の命令又はコードを有するコンピュータ読み出し可能媒体を含み得る。
【００８８】
ここに開示されている態様に関連して記載されている、方法又はアルゴリズムの、ステップ及び／又は動作は、ハードウェアにおいて、プロセッサによって実行されるソフトウェアモジュールにおいて、又は２つの組み合わせにおいて、直接的に具現され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、又は当技術において知られている任意の他の形態の記憶媒体中に存在し得る。例示的な記憶媒体はプロセッサに結合され、プロセッサが記憶媒体から情報を読み出し、かつそこへ情報を書き込みことができるようにする。その代りに、記憶媒体はプロセッサと一体であってもよい。さらに、幾つかの態様において、プロセッサと記憶媒体とはＡＳＩＣ中に存在し得る。さらに、ＡＳＩＣはユーザ端末中に存在してもよい。その代りに、プロセッサと記憶媒体は、ユーザ端末中のディスクリートなコンポーネントとして存在してもよい。さらに幾つかの態様において、方法又はアルゴリズムの、ステップ及び／又は動作は、コンピュータプログラム製品に組み込まれ得る、機械読み出し可能媒体及び／又はコンピュータ読み出し可能媒体における、コード及び／又は命令の、１つ、任意の組み合わせ、或いは集合として存在し得る。
【００８９】
上述は１つ以上の態様の例を含んでいる。上述の態様を記載する目的で、コンポーネント又は方法の全ての考えられる組み合わせを記載することは当然に不可能であるが、当業者は、様々な態様の多くの更なる組み合わせと置換とが可能であることが分かり得る。従って、記載された態様は、添付の請求項の範囲内に入る変更と、修正と、バリエーションとを全て包含することを意図している。「含む」との用語が詳細な説明又は請求項の何れかで使用されている範囲において、「具備する」との用語が請求項において移行詞（transitional word）として用いられている場合に解釈されるときの「具備する」との用語と同様に、「含む」との用語は包括することを意図している。
【図１】
2010523059.tif 000019
【図２】
2010523059.tif 000020
【図３】
2010523059.tif 000021
【図４】
2010523059.tif 000022
【図５】
2010523059.tif 000023
【図６】
2010523059.tif 000024
【図７】
2010523059.tif 000025
【図８】
2010523059.tif 000026
【図９】
2010523059.tif 000027
【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
セクタごとの受信電力レベル決定する方法であって、
各アクセスポイントから、アクセスポイントパイロット信号を受信することと、
各アクセスポイントパイロット信号から、時間領域のチャネル応答を決定することと、
各アクセスポイントパイロット信号から、セクタごとの受信ディジタル電力レベルを決定することと、
少なくとも前記ディジタル電力レベルに基づいて、各アクセスポイントからの受信電力レベルを決定することと
を具備し、前記アクセスポイントはセクタを表す、方法。
【請求項２】
各アクセスポイントからの前記受信電力レベルは、セクタごとの前記ディジタル電力レベルと、アナログフロントエンドの受信機利得と、ディジタルフロントエンドの受信機利得と、アナログディジタル変換器（ＡＤＣ）の出力における総受信電力とから計算される、請求項１の方法。
【請求項３】
Ｐｋ，ｓが、セクタのインデックスs及びアンテナのインデックスｋごとのディジタル電力であり、Ｅｋが、前記ＡＤＣの前記出力における前記総受信電力である場合に、
【数１】
2010523059.tif 000028
として、セクタごとの、前記ＡＤＣの前記出力における推定エネルギを計算すること
をさらに具備する、請求項２の方法。
【請求項４】
前記推定エネルギをフルスケールのＡＤＣ電力に正規化することと、
アナログ利得を減算することと
を備える、セクタごとの、前記ＡＤＣの前記出力における前記推定エネルギを、ｄＢｍの電力レベルにマップすること
をさらに具備する、請求項２の方法。
【請求項５】
前記決定された受信電力レベルを利用して、逆方向リンクサービングセクタの送信電力を設定し、ハンドオフを決定する、請求項１の方法。
【請求項６】
時間領域のチャネル応答を決定することが、
セクタ別の受信信号電力のセクタごとのチャネルタップ推定を取得すること
を備える、請求項１の方法。
【請求項７】
無線通信装置であって、
各アクセスポイントから、アクセスポイントパイロット信号を受信することと、各アクセスポイントパイロット信号から、時間領域のチャネル応答を決定することと、各アクセスポイントパイロット信号から、セクタごとの受信ディジタル電力レベルを確立することと、少なくとも前記ディジタル電力レベルに基づいて、各アクセスポイントからの受信電力レベルを計算することとに関する命令を保持し、アクセスポイントはセクタを表わす、メモリと、
前記メモリに結合され、前記メモリに保持されている前記命令を実行するように構成されているプロセッサと
を具備する、無線通信装置。
【請求項８】
各アクセスポイントからの前記受信電力レベルは、セクタごとの前記ディジタル電力レベルと、アナログフロントエンドの受信機利得と、ディジタルフロントエンドの受信機利得と、アナログディジタル変換器（ＡＤＣ）の出力における総受信電力とから計算される、請求項７の無線通信装置。
【請求項９】
前記メモリはさらに、
Ｐｋ，ｓが、セクタのインデックスs及びアンテナのインデックスｋごとのディジタル電力であり、Ｅｋが、前記ＡＤＣの前記出力における前記総受信電力である場合に、
【数２】
2010523059.tif 000029
として、セクタごとの、前記ＡＤＣの前記出力における推定エネルギを計算することに関する命令を保持する、請求項８の無線通信装置。
【請求項１０】
前記メモリはさらに、前記推定エネルギをフルスケールのＡＤＣ電力に正規化して、アナログ利得を減算することによって、セクタごとの、前記ＡＤＣの前記出力における前記推定エネルギを、ｄＢｍの電力レベルにマップすることに関する命令を保持する、請求項８の無線通信装置。
【請求項１１】
前記決定された受信電力レベルを利用して、逆方向リンクサービングセクタの送信電力を設定し、ハンドオフを決定する、請求項７の無線通信装置。
【請求項１２】
前記メモリはさらに、セクタ別の受信信号電力のセクタごとのチャネルタップ推定を取得することに関する命令を保持する、請求項７の無線通信装置。
【請求項１３】
無線通信システムにおいて動作可能な無線通信装置であって、
複数のアクセスポイントパイロット信号を受信する手段と、
前記複数のアクセスポイントパイロット信号のうちの各アクセスポイントパイロット信号から、時間領域のチャネル応答を決定する手段と、
各アクセスポイントパイロット信号から、セクタごとの受信ディジタル電力レベルを決定する手段と、
少なくとも前記ディジタル電力レベルに基づいて、各アクセスポイントからの受信電力レベルを決定する手段と
を具備する、無線通信装置。
【請求項１４】
各アクセスポイントからの前記受信電力レベルは、セクタごとの前記ディジタル電力レベルと、アナログフロントエンドの受信機利得と、ディジタルフロントエンドの受信機利得と、アナログディジタル変換器（ＡＤＣ）の出力における総受信電力とから計算される、請求項１３の無線通信装置。
【請求項１５】
Ｐｋ，ｓが、セクタのインデックスs及びアンテナのインデックスｋごとのディジタル電力であり、Ｅｋが、前記ＡＤＣの前記出力における前記総受信電力である場合に、
【数３】
2010523059.tif 000030
によって与えられる、セクタのインデックスs及びアンテナのインデックスｋに対する、セクタごとの、前記ＡＤＣの前記出力における推定エネルギを計算する手段
をさらに具備する、請求項１４の無線通信装置。
【請求項１６】
前記推定エネルギをフルスケールのＡＤＣ電力に正規化する手段と、
アナログ利得を減算する手段と
を備える、セクタごとの、前記ＡＤＣの前記出力における前記推定エネルギを、ｄＢｍの電力レベルにマップする手段
をさらに具備する、請求項１４の無線通信装置。
【請求項１７】
前記決定された受信電力レベルを利用して、逆方向リンクサービングセクタの送信電力を設定し、ハンドオフを決定する、請求項１３の無線通信装置。
【請求項１８】
前記時間領域のチャネル応答を決定する手段は、
セクタ別の受信信号電力のセクタごとのチャネルタップ推定を取得する手段
を備える、請求項１３の無線通信装置。
【請求項１９】
前記複数のアクセスポイントパイロット信号の各々は、セクタを表わす異なるアクセスポイントから受信される、請求項１３の無線通信装置。
【請求項２０】
セクタごとの受信電力レベルを決定する機械実行可能命令を記憶させた機械読み出し可能媒体であって、
前記命令は、
各アクセスポイントパイロット信号が１つのアクセスポイントからのものである、複数のアクセスポイントパイロット信号を受信することと、
前記複数のアクセスポイントパイロット信号のうちの各アクセスポイントパイロット信号から、時間領域のチャネル応答を決定することと、
各アクセスポイントパイロット信号から、セクタごとの受信ディジタル電力レベルを確立することと、
少なくとも前記ディジタル電力レベルに基づいて、各アクセスポイントからの受信電力レベルを計算することと
を備え、各アクセスポイントからの前記受信電力レベルは、セクタごとの前記ディジタル電力レベルと、アナログフロントエンドの受信機利得と、ディジタルフロントエンドの受信機利得と、アナログディジタル変換器（ＡＤＣ）の出力における総受信電力とから計算される、機械読み出し可能媒体。
【請求項２１】
前記命令はさらに、
Ｐｋ，ｓが、セクタのインデックスs及びアンテナのインデックスｋごとのディジタル電力であり、Ｅｋが、前記ＡＤＣの前記出力における前記総受信電力である場合に、
【数４】
2010523059.tif 000031
として、セクタごとの、前記ＡＤＣの前記出力における推定エネルギを計算することを備える、請求項２０の機械読み出し可能媒体。
【請求項２２】
前記命令はさらに、
前記推定エネルギをフルスケールのＡＤＣ電力に正規化して、アナログ利得を減算することによって、セクタごとの、前記ＡＤＣの前記出力における前記推定エネルギを、ｄＢｍの電力レベルにマップすること、
を備える、請求項２１の機械読み出し可能媒体。
【請求項２３】
無線通信システム中の装置であって、
各パイロット信号が異なるアクセスポイントからのものである、複数のアクセスポイントパイロット信号を受信し、
各アクセスポイントパイロット信号から、時間領域のチャネル応答を突き止め、
各アクセスポイントパイロット信号から、セクタごとの受信ディジタル電力レベルを決定し、
少なくとも前記ディジタル電力レベルに基づいて、各アクセスポイントからの受信電力レベルを計算する
ように構成されたプロセッサ
を具備する、装置。
【請求項２４】
前記プロセッサはさらに、
Ｐｋ，ｓが、セクタのインデックスs及びアンテナのインデックスｋごとのディジタル電力であり、Ｅｋが、アナログディジタル変換器の出力における総受信電力である場合に、
【数５】
2010523059.tif 000032
として、セクタごとの、前記ＡＤＣの前記出力における推定エネルギを計算するように構成されている、請求項２３の装置。
【請求項２５】
前記プロセッサはさらに、セクタごとの前記ディジタル電力レベルと、アナログフロントエンドの受信機利得と、ディジタルフロントエンドの受信機利得と、アナログディジタル変換器の出力における総受信電力とに対して、各アクセスポイントからの前記電力レベルを計算するように構成されている、請求項２３の装置。
【国際調査報告】
2010523059.tif 000033
2010523059.tif 000034
2010523059.tif 000035